(57)【要約】【課題】情報記録部が情報再生部の情報を更新する際の処理を簡略化する。【解決手段】情報記録部１は、情報識別子生成部１Ｃと第１の記憶部としての記憶部１Ｄとを備え、情報識別子生成部１Ｃは、識別子数で定義される個数の情報識別子を生成し、識別子数を超えた個数の識別子の生成が要求されたときは、繰り返し前記情報識別子と同じ情報識別子を生成し、前記情報識別子を付与した情報を記憶部１Ｄに記憶し、情報再生部２は、第２の記憶部としての記憶部２Ｂを備え、記憶部１Ｄが記憶する情報を記憶部２Ｂに送出し、前記情報の情報識別子が、記憶部２Ｂが記憶する情報の情報識別子と同一の場合に、記憶部１Ｄが記憶する情報が記憶部２Ｂが記憶する情報を置き換えることを特徴とする。【選択図】図１１
2010287146.tif 000002
【特許請求の範囲】
【請求項１】
情報記録部は、情報識別子生成部と第１の記憶部とを備え、
情報再生部は、第２の記憶部を備え、
前記情報識別子生成部が、識別子数で定義される個数の情報識別子を生成するとともに、前記識別子数を超えた個数の前記情報識別子の生成が要求されたときは、前記情報識別子と同じ情報識別子を繰り返し生成することと、
前記情報記録部が、前記情報識別子を付与した情報を前記第１の記憶部に記憶するとともに、前記第１の記憶部が記憶する情報を前記第２の記憶部に送出し、前記情報の前記情報識別子が、前記第２の記憶部が記憶する情報の情報識別子と同一の場合に、前記第１の記憶部が記憶する情報で前記第２の記憶部が記憶する情報を置き換えることと、
を備えたことを特徴とする情報処理方法。
【請求項２】
請求項１に記載の情報処理方法において、
前記情報識別子生成部が、生成された順序を特定可能な前記情報識別子を生成することと、
前記情報記録部が、前記第１の記憶部に情報を記憶する際に、最新あるいは最古の情報の前記情報識別子を記憶する特定識別子情報を、前記第１の記憶部に記憶することと、
前記情報再生部が、前記情報識別子の順序を特定する識別子順序特定部を備えるとともに、前記特定識別子情報で、前記第２の記憶部が記憶する前記特定識別子情報を置き換えることと、
を備えたことを特徴とする情報処理方法。
【発明の詳細な説明】
【技術分野】
【０００１】
本発明は、情報処理方法に関する。
【背景技術】
【０００２】
近年、携帯型の情報再生装置により、外出時においても情報を携帯して参照できるようになった。これを実現するために、パーソナルコンピューター等情報処理装置に記憶した情報を、情報の更新日時などを利用して、より新しい情報を情報再生装置に転送する必要がある。
【先行技術文献】
【特許文献】
【０００３】
【特許文献１】特開平７−３３４３５２号公報
【発明の概要】
【発明が解決しようとする課題】
【０００４】
情報記録部から情報再生装置に情報を転送する際、情報再生装置に記録されていない情報は、情報記録部から転送し、情報再生装置に記録するが、情報再生装置の容量の制約がある場合、情報再生装置内で不要となる情報を削除する必要がある。
不要になる情報については、情報の重要度や種類、未読か既読かという判断もあるが、ここでは情報の作成日時を基準に、より新しい情報が有効であると判断する。この判断を行うためには、情報記録部が情報再生装置内に記録された情報の作成日時と情報記録部内に記録された情報の作成日時の比較を行って、情報再生装置内の古い情報を削除してから、情報記録部内の新しい情報を転送する必要がある。
【課題を解決するための手段】
【０００５】
本発明は、上記課題の少なくとも一部を解決するように、以下の形態、または適用例として実現される。
【０００６】
［適用例１］本適用例の情報処理方法は、情報記録部は、情報識別子生成部と第１の記憶部とを備え、前記情報識別子生成部は、識別子数で定義される個数の情報識別子を生成し、前記識別子数を超えた個数の前記情報識別子の生成が要求されたときは、繰り返し前記情報識別子と同じ情報識別子を生成し、前記情報識別子を付与した情報を第１の記憶部に記憶し、情報再生部は、第２の記憶部を備え、第１の記憶部が記憶する情報を第２の記憶部に送出し、前記情報の情報識別子が、第２の記憶部が記憶する情報の情報識別子と同一の場合に、第１の記憶部が記憶する情報が第２の記憶部が記憶する情報を置き換えることを特徴とする。
本適用例によれば、情報記録部から情報再生部に情報を転送する際、情報記録部が既存の情報の更新日時との比較を行わなくとも、情報を情報再生部に転送するだけで、情報再生部内の古い情報を更新することが可能となる。
【０００７】
［適用例２］上記適用例に記載の情報処理方法において、前記情報識別子生成部は、生成された順序を特定可能な情報識別子を生成し、第１の記憶部に情報を記憶する際に、最新あるいは最古の情報の情報識別子を記憶する特定識別子情報を、第１の記憶部に記憶し、前記情報再生部は、情報識別子の順序を特定する識別子順序特定部を備え、前記特定識別子情報が、第２の記憶部が記憶する特定識別子情報を置き換えてもよい。
これにより、情報再生部は、情報の記憶した順序を特定可能となる。例えば、最新の情報から順番に表示することが可能である。
【図面の簡単な説明】
【０００８】
【図１】第１実施形態に係る情報処理方法が適用されるシステムの構成と情報記録部および情報再生部の構成を示す図である。
【図２】識別子参照表の一例を示す図である。
【図３】情報記録部および情報再生部における機能ブロック図である。
【図４】付加情報リストの一例を示す図である。
【図５】情報蓄積処理方法を示す図である。
【図６】ファイル転送処理方法を示す図である。
【図７】リスト表示処理方法を示す図である。
【図８】情報再生処理方法を示す図である。
【図９】情報再生部がリスト表示処理を行った一例を示す図である。
【図１０】情報再生部が情報再生処理を行った一例を示す図である。
【図１１】ファイル転送処理を行った一例を示す図である。
【図１２】情報記録部と情報再生部が一体であるときの機能ブロック図である。
【発明を実施するための形態】
【０００９】
以下、本発明の実施形態について図面を参照して説明する。
まず、本実施形態にかかる情報処理方法について説明する。図１は、情報処理方法が適用される、情報記録部１と情報再生部２についての機能を示すブロック図である。これらの機能は、情報記録部１、情報再生部２において、それぞれ所定のアプリケーションプログラムやオペレーションシステムの実行によって構築される。この図に示されるように、情報記録部１における機能は、情報取得部１Ａ、付加情報生成部１Ｂ、情報識別子生成部１Ｃ、第１の記憶部としての記憶部１Ｄ、および情報送出部１Ｅがある。
情報取得部１Ａは、情報記録部の外部から情報を取得する。例えば、インターネットに接続し、ＲＳＳ（ＲＤＦ  Ｓｉｔｅ  Ｓｕｍｍａｒｙ）を受信し、その内部に記録されたリンク情報を利用して最新のＷｅｂページの情報を取得し、ＷｅｂサーバーからＨＴＭＬ（Ｈｙｐｅｒｔｅｘｔ  Ｍａｒｋｕｐ  Ｌａｎｇｕａｇｅ）文書を受信し、必要に応じて後述する情報再生部２に適合するフォーマットへ変換を行う。
【００１０】
付加情報生成部１Ｂは、情報取得部１Ａが受信した情報の要約を作成する。例えば、情報のタイトルを要約として利用することができる。情報識別子生成部１Ｃは、規則に従って識別子を生成する。情報識別子生成部１Ｃは設定した識別子数に応じて識別子を生成する。例えば、識別子数を５とし、５個の識別子を要求すると１番目乃至５番目の識別子と規則に従って５つの異なる識別子を生成する。これらの識別子の生成規則は呼び出す順番にのみ依存し、例えば、１番目の識別子は常に同一の識別子である。
【００１１】
情報取得部１Ａが、識別子数を超える数の情報を受信した場合、受信した情報数を識別子数で割った際の剰余の値の識別子を生成する。例えば、識別子数を５とすると、６番目の情報の識別子は１番目の識別子となり、１２番目の情報の識別子は２番目の識別子となる。
情報取得部１Ａが受信した情報は、情報識別子生成部１Ｃが生成した情報識別子をファイル名として、記憶部１Ｄに記憶される。記憶部１Ｄに記憶される情報の付加情報として、前記識別子と前記要約の対を取りまとめ、さらに前記識別子数と、最も新しく保存された情報の識別子を最新識別子、あるいは特定識別子情報として加えたものを後述する付加情報リスト３として記憶部１Ｄに記憶する。
情報送出部１Ｅは、情報記録部１と情報再生部２が接続されているときに、記憶部１Ｄに記憶された情報と付加情報リスト３を、情報受信部２Ａに送出することができる。
【００１２】
情報再生部２における機能は、情報受信部２Ａ、第２の記憶部としての記憶部２Ｂ、識別子順序特定部２Ｃ、付加情報再生部２Ｄ、および情報出力部２Ｅがある。情報受信部２Ａは、情報送出部１Ｅが送出する情報と付加情報リスト３を受信し、記憶部２Ｂに記憶する。ここで情報は識別子をファイル名として記憶するが、識別子は規則に従って繰り返し利用されるため、記憶部２Ｂは概ね前記識別子をファイル名として情報を記憶している。このときは、新たに受信した情報によって、記憶部２Ｂの既存の情報を上書きして置き換える。同様に記憶部２Ｂに存在する付加情報リスト３は、情報送出部１Ｅから送出される付加情報リスト３によって置き換えられる。
【００１３】
識別子順序特定部２Ｃは、情報識別子生成部１Ｃが規則に従って生成した識別子の順序を特定する。例えば、識別子数を５としたとき、１番目乃至５番目の識別子が存在するが、これらの識別子を１番目の識別子、２番目の識別子と識別する。
付加情報再生部２Ｄは、付加情報リスト３に記述された内容を再生する。
情報出力部２Ｅは、記憶部２Ｂに記憶された情報を出力する。
【００１４】
情報識別子生成部１Ｃと識別子順序特定部２Ｃについて説明する。情報識別子生成部１Ｃは規則に従って、識別子を生成する。例えば、序数に接頭辞を加えることで、識別子をＤＯＣ１、ＤＯＣ２、ＤＯＣ３としてもよい。また関数を利用し、例えば２のべき乗により、識別子を２、４、８としてもよい。このとき、識別子順序特定部２Ｃは、情報識別子生成部１Ｃの識別子生成規則を知ることで、識別子が生成された順序を特定することができる。先の例では、識別子の一部を数式によって求めたが、求められる番号によって同じ識別子が得られればよく、参照表を用いても良い。
【００１５】
図２は参照表の一例である。図２（ａ）はアルファベット文字を降順に識別子として用いた参照表１２０である。図２（ｂ）はアルファベット文字をランダムに識別子として用いた参照表１２１である。情報識別子生成部１Ｃと識別子順序特定部２Ｃの双方が、この参照表を持つことで、識別子と識別子の番号の対応関係を把握することができ、識別子が生成された順序を特定することができる。
情報識別子生成部１Ｃのみが参照表を持ち、識別子順序特定部２Ｃが参照表を持たない場合は、規則に従った識別子は生成されるが、情報再生部２側で識別子が生成された順序、すなわち情報が生成された順序を特定することができない。しかしながら、古い情報を更新日時の比較無しに更新することは可能である。
【００１６】
図３は、第１実施形態に係る情報処理方法を適用されるシステムの構成と情報記録部および情報再生部の構成を示す図である。
この図において、情報記録部１は、各部を制御するＣＰＵ１１、各種の情報を一時的に格納するＲＡＭ１２、各種のプログラムや文書を記憶する補助記憶部１３、表示部１４、キーボードやマウス、情報再生部などが接続される入出力部１５および通信部１６がバス１８を介して接続された構成となっている。
情報再生部２は、各部を制御するＣＰＵ２１、各種の情報を一時的に格納するＲＡＭ２２、各種のプログラムや文書を記憶する補助記憶部２３、表示部２４および操作ボタンや情報再生装置などが接続される入出力部２５がバス２８を介して接続された構成となっている。
【００１７】
図４は、付加情報リスト３の一例である。図４（ａ）において、識別子３０１乃至３１０は、ファイル名と情報の要約の対応関係を記憶している。例えば「１」という識別子を持つ情報の要約が、「月刊○○発行のお知らせ」であることを記憶している。識別子数３２１は識別子数を記憶し、最新識別子３２２は特定識別子情報として、最も現在から近い時間に更新された識別子を記憶する。ここでは最新識別子を記憶するが、他の実施例として現在から最も遠い時間に更新された識別子、すなわち、次に更新される識別子を記憶してもよい。
【００１８】
図５を参照して情報記録部１で行われる情報蓄積処理について説明する。情報記録部１は情報取得部１Ａを介してネットワークに接続されているが、情報再生部２はネットワークへの接続機能を持たない。このため情報記録部１と接続された時に、情報記録部１の記憶部１Ｄが記憶した情報を情報再生部２の記憶部２Ｂに送出する。情報記録部１と情報再生部２が接続されている時間は短く、大半の時間において、情報記録部１は情報再生部２とは接続されておらず、情報蓄積処理を行っている。
【００１９】
情報蓄積処理を開始すると（ステップＳ１００）、情報取得部１Ａが情報を受信したか確認する（ステップＳ１０１）。情報を受信しなかった場合は、一定の時間待った後（ステップＳ１０２）、再度、情報を受信したか確認する。
情報を受信した場合、付加情報リスト３から最新識別子３２２を取得し、最新識別子をＬとする（ステップＳ１０３）。Ｌが付加情報リスト３の識別子数３２１と一致するか比較し（ステップＳ１０４）、一致する場合はＬ＝１とし（ステップＳ１０５）、一致しない場合はＬ＝Ｌ＋１とする（ステップＳ１０６）。ここで、Ｌについては自身に１を加えているが、必ずしも数字に限定されるものではない。ファイル名Ｌは順序が明確であれば良く、例えばファイル名がアルファベット順で表わされている場合、最新識別子がＡである場合、Ａに１を加えた場合はＢを返すことができる。また、数字であっても、例えば、１０、２０、３０と１０ずつ加算してもよい。また、Ｌ＝１と表現したが、これは１番目の識別子を指すものであり、アルファベット順の識別子を用いる場合はＡとなり、１０、２０、３０という１０の倍数を識別子の規則として用いた場合は、１０となる。
アルファベット順や１０の倍数を用いた識別子は、情報識別子生成部１Ｃの識別子生成規則を知ることによって、識別子順序特定部２Ｃは順序を特定できる。また、情報識別子生成部１Ｃが参照表１２１を用いた場合は、識別子順序特定部２Ｃが同一の参照表１２１を備えることで、識別子の順序を特定することができる。
【００２０】
先に得られたＬをファイル名として用い、記憶部１ＤにＬと同名のファイルが存在するか確認を行う（ステップＳ１０７）。同名のファイルが存在しなければ、Ｌという名前でファイルを保存し（ステップＳ１０８）、同名のファイルが存在するときは、受信した情報によって既存のファイルを上書きする（ステップＳ１０９）。ここで同名のファイルが存在する状況について考えると、この情報記録部１は、受信した情報の個数が識別子数の大きさを上回ったために、情報再生部２にファイルを転送する前に、転送するファイルの上書きが起こった状態である。
【００２１】
次に、保存したファイルから情報の要約を取得し、付加情報リスト３のファイル名Ｌについての内容を更新する（ステップＳ１１０）。ファイルについては情報再生部２が未接続の間に受信したデータのみが保存されるが、付加情報リスト３については、データの受信に関わらず記憶しているため、端末にのみ存在するファイルの内容も付加情報リスト３に記録されているため、ファイル受信時は常に付加情報リスト３の内容を上書きすることになる。付加情報リスト３の最新識別子をＬに更新し（ステップＳ１１１）、情報蓄積処理を終了する（ステップＳ１１２）。
【００２２】
図６を参照して、情報再生部２が情報記録部１に接続された時に行われるファイル転送処理について説明する。
情報記録部１の情報送出部１Ｅは、入出力部１５に対する接続を監視しており、情報再生部２の入出力部２５が接続されたことを確認すると、情報受信部２Ａに対して、ファイル転送処理を開始する（ステップＳ２００）。
始めにＬ＝１として、一番目の識別子を持つファイルに注目する（ステップＳ２０１）。ここで情報識別子生成部１Ｃが生成する識別子が１から始まる自然数の場合にはファイル名は１となり、情報識別子生成部１Ｃが生成する識別子が、Ａから始まるアルファベットを用いる場合、一番目のファイル名はＡである。それ以外にも情報識別子生成部１Ｃが識別子を生成する規則に従った一番目のファイル名であればよい。
Ｌというファイル名のファイルが情報記録部１の記憶部１Ｄに記憶されているか確認する（ステップＳ２０２）。もし、Ｌというファイルが無ければ、Ｌが識別子数と一致するか比較する（ステップＳ２０６）。
【００２３】
記憶部１ＤにＬというファイルが記憶されている場合、次に情報再生部２の記憶部２ＢにＬというファイルが記憶されているか確認する（ステップＳ２０３）。情報記録部１の情報送出部１Ｅは情報再生部２の情報受信部２Ａにファイルを送信するが、Ｌというファイルが記憶されていなければ、記憶部２Ｂにファイルを記憶させ（ステップＳ２０４）、Ｌというファイルが記憶されている場合は、既存のファイルを情報記録部１が送出したファイルで上書きする（ステップＳ２０５）。ここで情報再生部２の記憶部２Ｂについては、ファイル転送処理によりファイルの上書きを行うが、明示的な削除処理は行わない。このためファイル転送処理が一度でも行われると、Ｌというファイルは記憶部２Ｂに存在するため、初回のファイル転送処理時以外は既存のファイルの上書きを行うことになる。
【００２４】
次にＬが識別子数と一致するか比較する（ステップＳ２０６）。一致しない場合は、Ｌ＝Ｌ+１として（ステップＳ２０７）、注目する識別子の番号を１つ進め、新たな識別子によるファイル名Ｌが、記憶部１Ｄに記憶されているか確認を行う（ステップＳ２０２）。Ｌが識別子数と一致する場合、すなわち最後のファイルであるときは、記憶部１Ｄが記憶する付加情報リスト３のコピーを情報送出部１Ｅを通じて情報受信部２Ａに送出し、記憶部２Ｂに記憶された付加情報リスト３を上書きする（ステップＳ２０８）。次に記憶部１Ｄ内の付加情報リスト３を除くすべてのファイルを削除する（ステップＳ２０９）。以上でファイル転送処理を終了する（ステップＳ２１０）。このため、ファイル転送処理後の記憶部１Ｄには受信した情報のファイルは存在しない。
【００２５】
図７を参照して、情報再生部２が、記憶部２Ｂに記憶するファイルの一覧を表示する、リスト表示処理について説明する。
情報再生部２は、情報記録部１と接続されていない時に、ユーザーからの指示によりリスト表示処理を開始する（ステップＳ３００）。情報再生部２の付加情報再生部２Ｄは、表示部（表示装置）２４において表示を行う位置を示す、表示カーソルを１番上に移動する（ステップＳ３０１）。記憶部２Ｂに記憶された付加情報リスト３から、最新識別子を取得し、取得した識別子をＬとする（ステップＳ３０２）。
【００２６】
付加情報リスト３を参照し、識別子Ｌに対応する要約を、表示部（表示装置）２４の表示カーソルの位置に表示する（ステップＳ３０３）。そして、注目する識別子Ｌが、何番目の識別子かを確認する（ステップＳ３０４）。ここで注目する識別子ＬがＬ＝１、すなわち１番目の識別子であるとき、Ｌを識別子数、すなわち最後の識別子に変更する（ステップＳ３０６）。Ｌ＝１以外のときは、注目する識別子Ｌ＝Ｌ−１として、１つ前の識別子に変更する（ステップＳ３０５）。
【００２７】
次に変更後の注目する識別子Ｌが最新識別子と同じであるか否かを確認する（ステップＳ３０７）。ここで、識別子Ｌが最新識別子と異なるとき（ステップＳ３０７：Ｎｏ）は、表示カーソルの位置を１段下げて（ステップＳ３０８）、注目する識別子と対応する情報の要約を表示し（ステップＳ３０３）、注目する識別子を１つ前の識別子に変更する（ステップＳ３０５、ステップＳ３０６）を繰り返す。
これらの処理を繰り返し、注目する識別子Ｌが最新識別子と一致するとき（ステップＳ３０７：Ｙｅｓ）、すなわち全ての識別子に対応する要約を表示し終えたときは、リスト表示処理を終了する（ステップＳ３０９）。
【００２８】
図８を参照して、情報再生部２がリスト表示処理を行い、ファイルを表示する、情報再生処理について説明する。
情報再生処理を開始すると（ステップＳ４００）、先に説明したリスト表示処理を行う（ステップＳ４０１）。リスト表示においては、反転表示を行うことで、選択中の項目を明示することができる。ユーザーは情報再生部２の入出力部２５を利用して、選択する項目を移動し表示する項目を決定する（ステップＳ４０２）。このとき、入出力部２５は図９に示すような十字カーソルキーやホイール、タッチパネルとスタイラスペンなどであってもよい。
【００２９】
ユーザーが選択した項目の識別子を取得し（ステップＳ４０３）、記憶部２Ｂから対応するファイルを取得し、情報出力部２Ｅを通じて、表示部（表示装置）２４にファイルの内容を再生する（ステップＳ４０４）。以上で情報再生処理を終了する（ステップＳ４０５）。
【００３０】
図９は情報再生部２の概観と表示例である。図９では、リストの左側にファイル名を説明のために表示しているが、これは必須ではない。
図９（ａ）は付加情報リスト３が図４（ａ）であるときの表示例である。図９（ａ）について説明すると、識別子数が１０であるため、１０個の項目が表示されている。ここでは表示部（表示装置）２４内にすべての項目を表示しているが、識別子数が大きい場合は、すべてのリストを表示するためには、スクロールやページめくりを用いてもよい。
【００３１】
図４（ａ）においては、最新識別子が３であるため、図９（ａ）における「３：○○部居室移動について」が最上位に表示され、次の行に識別子が１つ前の「２：全社○○教育募集案内」が表示される。これまでの説明により、図４（ａ）に示す付加情報リスト３において、識別子、すなわちファイル名を新しいものから順番に並べると、３、２、１、１０、９、８、７、６、５、４となる。
図９（ａ）では、「１０：検索サービス運用開始の案内」が反転表示されることで選択されているが、これはユーザーの指示によるものである。
【００３２】
図９（ｂ）は付加情報リスト３が図４（ｂ）であるときの表示例である。識別子数は１０であり、最新識別子が８であるため、ファイルが新しい順番に、８、７、６、５、４、３、２、１、１０、９という順番に表示を行っている。
【００３３】
図１０は情報再生部２において、ファイル表示を行った表示例である。ここでは、図９（ａ）において、「１０：検索サービス運用開始の案内」を選択し、ファイル名１０のファイルの内容を表示した状態を示している。
【００３４】
図１１を参照して、情報記録部１の記憶部１Ｄおよび情報再生部２の記憶部２Ｂが記憶するファイルが、情報蓄積処理、ファイル転送処理によってどのように生成され、転送されるかを説明する。
図１１（ａ）は、ファイル転送処理終了直後の情報記録部１と情報再生部２の状態を示している。情報記録部１の記憶部１Ｄはファイルを持たず、情報再生部２の記憶部２Ｂは識別子数と同じ１０個のファイルを記憶している。図４（ａ）はこのときの付加情報リスト３の内容を表している。
【００３５】
図１１（ｂ）においては、情報記録部１の情報送出部１Ｅと情報再生部２の情報受信部２Ａの接続が解除され、情報記録部１の情報取得部１Ａがネットワークから情報を受信し、情報蓄積処理を行う様子を示している。
具体的には、図１１（ａ）で転送が終わった時点では、図４（ａ）により、最新識別子は３であった。その後、図１１（ｂ）の状態に移行し、ファイル４、ファイル５、ファイル６、ファイル７、ファイル８を示した順番に受信して記憶部１Ｄに記憶し、逐一、付加情報リスト３の最新識別子を４、５、６、７、８と更新し、図１１（ｂ）の状態では、最新識別子は８となっている。図４（ｂ）はこのときの付加情報リスト３の内容を表している。
【００３６】
図１１（ｃ）においては、情報送出部１Ｅと情報受信部２Ａが再び接続され、ファイル転送処理を行い、ファイル転送処理が行われた後の状態を示している。図１１（ｂ）において記憶部１Ｄに記憶されていたファイル４、５、６、７、８は、情報送出部１Ｅ、情報再生部２の情報受信部２Ａを経て、ファイル管理部に送られ、既存のファイル４、５、６、７、８を置き換える形で上書き保存する。また、付加情報リスト３におけるファイル４、５、６、７、８についてのファイルの内容は更新されており、図４（ｂ）によって示される付加情報リスト３が記憶部２Ｂに送られる。また、この時点では、情報記録部１の記憶部１Ｄは付加情報リスト３以外のファイルは削除するため、ファイルを記憶していない。情報再生部２は付加情報リスト３を参照することで、更新されたファイル４、５、６、７、８及び、既存のファイル９、１０、１、２、３を表示することができる。
【００３７】
このように第１実施形態に係る情報処理方法によれば、情報記録部１は規則に基づいたファイル名を用いて情報蓄積処理を行い、情報再生部２との接続時にファイル転送処理を行うことで、情報記録部１から情報再生部２に情報を転送する際、情報記録部１が既存のファイルの更新日時の比較を行わなくとも、情報を情報再生部２に転送するだけで、情報再生部２内の古い情報を更新することが可能となる。
【００３８】
次に、本発明の他の実施形態について説明する。なお、以下の変形例の２つ以上のものが、第１実施形態と組み合わせて用いられてもよい。
【００３９】
第１実施形態において、ＲＳＳを受信し、ＲＳＳが持つリンク情報を利用してＷｅｂサーバーからＨＴＭＬ文書を受信するとあるが、受信するデータはＨＴＭＬに限定するものではない。例えば、ＰＤＦやＭＳ−ＷＯＲＤといった文書ファイルであってもよい。
【００４０】
また、データの送信元はＷｅｂサーバーに限定するものではない。例えばＦＴＰサーバーであってもよいし、受信するデータを電子メールとすることで、情報取得部１Ａはネットワークを介してメールサーバーからデータを受信してもよい。
【００４１】
第１実施形態において、情報取得部１Ａはネットワークを介して接続されているとしているが、情報取得部１Ａはネットワーク以外からデータを受信してもよい。例えば、入出力部１５に接続されるメモリーカードからデータを受信する場合や、補助記憶部１３に既に記憶されているデータを、補助記憶部１３に記憶された別のプログラムが通信データ受信部に転送ものであってもよい。
【００４２】
情報記録部１が蓄積および転送し、情報再生部２が受信および再生する情報については、文書情報に限定しない。例えば、自然画を含む画像情報であってもよいし、楽曲情報、音声情報であってもよい。
再生する情報が文書情報および画像情報である場合には、表示部（表示装置）２４に表示することで再生される。
再生する情報が楽曲情報および音声情報である場合には、入出力部（入出力装置）２５を通じて、ヘッドフォンやスピーカーなどの放音手段を接続するか、あるいは情報再生部２が放音手段を備えてもよい。
【００４３】
第１実施形態では、規則に基づいて生成するファイル名について、整数１乃至１０を用いて説明した。ファイル名の生成規則については、生成規則に従えば、常に同一の結果が得られ、個々のファイル名の順序が把握可能であり、識別子数の個数を十分生成できるものであれば、整数に限定するものではない。また、上記規則を満たしたファイル名の前後に語句を付加したものをファイル名と利用してもよい。
例えば、ファイル名としてアルファベットを用い、Ａ、Ｂ、Ｃ、Ｄ、Ｅを用いても良い。また、整数を用いる場合であっても増分を１０として、１、１１、２１、３１、４１を用いても良い。
また、語句を付加した例として、ＷＥＢ０１．ｐｄｆ、ＷＥＢ０２．ｐｄｆ、ＷＥＢ０３．ｐｄｆ、ＷＥＢ０４．ｐｄｆ、ＷＥＢ０５．ｐｄｆとしても良い。ここでは規則性のあるファイル名の前後に語句を付加したが、前後のいずれか一方だけでも良い。
【００４４】
第１実施形態では、情報記録部１と情報再生部２が別体であり、それぞれが接続されたときに、ファイル転送処理を行っていたが、情報記録部１と情報再生部２が一体であり、記憶部１Ｄ、情報送出部１Ｅ、情報受信部２Ａ、記憶部２Ｂが一体の部品として構成され、任意のタイミングでファイル転送処理を行っても良い。このときの情報システムの機能ブロック図を図１２に示す。
【符号の説明】
【００４５】
１…情報記録部、１Ａ…情報取得部、１Ｂ…付加情報生成部、１Ｃ…情報識別子生成部、１Ｄ…第１の記憶部としての記憶部、１Ｅ…情報送出部、２…情報再生部、２Ａ…情報受信部、２Ｂ…第２の記憶部としての記憶部、２Ｃ…識別子順序特定部、２Ｄ…付加情報再生部、２Ｅ…情報出力部、３…付加情報リスト。
【図１】
2010287146.tif 000003
【図２】
2010287146.tif 000004
【図３】
2010287146.tif 000005
【図４】
2010287146.tif 000006
【図５】
2010287146.tif 000007
【図６】
2010287146.tif 000008
【図７】
2010287146.tif 000009
【図８】
2010287146.tif 000010
【図９】
2010287146.tif 000011
【図１０】
2010287146.tif 000012
【図１１】
2010287146.tif 000013
【図１２】
2010287146.tif 000014